【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
第１の電気光学パネルと、所定方向の長さが前記第１の電気光学パネルより短い第２の電気光学パネルと、を備える電気光学装置であって、
前記第１の電気光学パネルの背後に配置され、その厚さが前記所定方向に漸次減少するように構成されるとともに、前記第１の電気光学パネルへ光を放出するように構成された第１の導光板と、
前記第１の導光板の背後に配置され、その厚さが前記所定方向と反対の方向に漸次減少するように構成されるとともに、前記所定方向の長さが前記第１の導光板より短く、且つ前記第２の電気光学パネルへ光を放出するように構成された第２の導光板と、
を有し、
前記第２の電気光学パネルは、前記第２の導光板の背後に配置されてなり、
前記第１の導光板の厚い側の端部は前記第２の導光板の厚い側の端部より厚いことを特徴とする電気光学装置。
【請求項２】
前記第１の導光板の一側に配置され、前記第１の導光板内に光を入射させる第１の光源と、前記第２の導光板の前記一側とは異なる他側に配置され、前記第２の導光板内に光を入射させる第２の光源とを有することを特徴とする請求項１に記載の電気光学装置。
【請求項３】
前記第１の導光板と前記第２の導光板とは、直接若しくは光学作用層を介して相互に当接していることを特徴とする請求項１又は請求項２に記載の電気光学装置。
【請求項４】
前記第１の導光板と前記第２の導光板とを共に係合保持する支持体を有することを特徴とする請求項１記載の電気光学装置。
【請求項５】
前記支持体は、前記第１の導光板及び前記第２の導光板に対向するとともに、反射機能を有する内側面を備えることを特徴とする請求項４に記載の電気光学装置。
【請求項６】
前記支持体は、前記内側面上に第２の反射層が形成されてなることを特徴とする請求項５に記載の電気光学装置。
【請求項７】
前記支持体は、前記第１の導光板及び前記第２の導光板の屈折率よりも小さな屈折率を有することを特徴とする請求項４に記載の電気光学装置。
【請求項８】
前記第１の導光板と前記第２の導光板との間に配置され、表裏両面において光反射機能を備えた光反射層を有することを特徴とする請求項１に記載の電気光学装置。
【請求項９】
前記第１の導光板と前記光反射層と前記第２の導光板とが相互に直接積層されていることを特徴とする請求項８に記載の電気光学装置。
【請求項１０】
前記第１の導光板、前記第２の導光板、及び、前記光反射層を含む積層体が共通の支持体に固定されていることを特徴とする請求項８に記載の電気光学装置。
【請求項１１】
前記光反射層は、前記第１の導光板及び前記第２の導光板のうちの少なくとも一方に接着されていることを特徴とする請求項８に記載の電気光学装置。
【請求項１２】
前記光反射層は、前記第１の導光板と前記第２の導光板の双方に接着されていることを特徴とする請求項８に記載の電気光学装置。
【請求項１３】
前記第１の導光板内に光を放出する第１の光源と、前記第２の導光板内に光を放出する第２の光源とを有し、
前記第１の光源と前記第２の光源とは、相互に平面的に重ならない位置に配置されていることを特徴とする請求項１に記載の電気光学装置。
【請求項１４】
請求項１に記載の電気光学装置と、該電気光学装置を制御する制御手段とを有することを特徴とする電子機器。
【手続補正２】
【補正対象書類名】明細書
【補正対象項目名】００１０
【補正方法】変更
【補正の内容】
【００１０】
【課題を解決するための手段】
本発明の実施の形態に係る導光装置は、第１の導光板と、前記第１の導光板に対して平面的に重なるように配置された第２の導光板と、前記第１の導光板と前記第２の導光板との間に配置された、表裏両面において光反射機能を備えた光反射層と、を有する。
【手続補正３】
【補正対象書類名】明細書
【補正対象項目名】００１６
【補正方法】変更
【補正の内容】
【００１６】
次に、本発明の電気光学装置は、第１の電気光学パネルと、所定方向の長さが前記第１の電気光学パネルより短い第２の電気光学パネルと、を備える電気光学装置であって、前記第１の電気光学パネルの背後に配置され、その厚さが前記所定方向に漸次減少するように構成されるとともに、前記第１の電気光学パネルへ光を放出するように構成された第１の導光板と、前記第１の導光板の背後に配置され、その厚さが前記所定方向と反対の方向に漸次減少するように構成されるとともに、前記所定方向の長さが前記第１の導光板より短く、且つ前記第２の電気光学パネルへ光を放出するように構成された第２の導光板と、を有し、前記第２の電気光学パネルは、前記第２の導光板の背後に配置されてなり、前記第１の導光板の厚い側の端部は前記第２の導光板の厚い側の端部より厚いことを特徴とする。
本発明の電気光学装置の前記支持体は、前記第１の導光板及び前記第２の導光板に対向するとともに、反射機能を有する内側面を備えることを特徴とする。
本発明の電気光学装置の前記支持体は、前記内側面上に第２の反射層が形成されてなることを特徴とする。
本発明の前記支持体は、前記第１の導光板及び前記第２の導光板の屈折率よりも小さな屈折率を有することを特徴とする。
本発明の電気光学装置は、前記第１の導光板と前記第２の導光板との間に配置され、表裏両面において光反射機能を備えた光反射層を有することを特徴とする。
本発明の実施の形態に係る液晶表示装置は、第１の導光板と、前記第１の導光板に対して平面的に重なるように配置された第２の導光板と、前記第１の導光板と前記第２の導光板との間に配置された、表裏両面において光反射機能を備えた光反射層と、前記第１の導光板の前記光反射層とは反対側に配置された第１の電気光学パネル（例えば第１の液晶表示体）と、前記第２の導光板の前記光反射層とは反対側に配置された第２の電気光学パネル（例えば第２の液晶表示体）と、を有する。
【手続補正４】
【補正対象書類名】明細書
【補正対象項目名】００２４
【補正方法】変更
【補正の内容】
【００２４】
本発明の実施の形態に係る液晶表示装置は、第１の電気光学モジュールと、第２の電気光学モジュールとが背中合わせに配置されているものである。すなわち、表面側に第１の電気光学モジュールの表示画面が配置されていれば、第２の電気光学モジュールの表示画面は裏面側に配置されるように構成されたものである。
【手続補正５】
【補正対象書類名】明細書
【補正対象項目名】００２５
【補正方法】変更
【補正の内容】
【００２５】
より具体的には、本発明の実施の形態に係る電気光学装置は、その厚さが所定方向に漸次減少するように構成された第１の電気光学モジュールと、その厚さが前記所定方向と反対の方向に漸次減少するように構成された第２の電気光学モジュールとが背中合わせに配置されている。
【手続補正６】
【補正対象書類名】明細書
【補正対象項目名】００２７
【補正方法】変更
【補正の内容】
【００２７】
また、本発明の別の実施の形態に係る液晶表示装置は、第１の電気光学パネルと、前記第１の電気光学パネルの背後に配置された第１の導光板と、前記第１の導光板の背後に配置された第２の導光板と、前記第２の導光板の背後に配置された第２の電気光学パネルと、を有するものである。そして、第１の電気光学パネルと、第２の電気光学パネルとによって表裏両側に共に表示画面を備えた構造部分を構成可能なものである。
【手続補正７】
【補正対象書類名】明細書
【補正対象項目名】００２８
【補正方法】変更
【補正の内容】
【００２８】
より具体的には、本発明の実施の形態に係る電気光学装置は、第１の電気光学パネルと、前記第１の電気光学パネルの背後に配置され、その厚さが所定方向に漸次減少するように構成された第１の導光板と、前記第１の導光板の背後に配置され、その厚さが前記所定方向と反対の方向に漸次減少するように構成された第２の導光板と、前記第２の導光板の背後に配置された第２の電気光学パネルと、を有する。
【手続補正８】
【補正対象書類名】明細書
【補正対象項目名】００３７
【補正方法】変更
【補正の内容】
【００３７】
本発明において、前記第１の導光板と前記第２の導光板とを共に係合保持する支持体を有することが好ましい。この発明によれば、共通の支持体に第１の導光板と第２の導光板とを係合保持させることにより、両導光板の相互の位置関係を規制することができるとともに、両導光板をコンパクトに収容することができる。さらに、共通の支持体の内面に反射機能を持たせることで、第１及び第２の導光板の光源が配置された端面以外の他の端面部から出射する光を再び導光板に戻すことができるので、光の利用効率を向上させることができる。
【手続補正９】
【補正対象書類名】明細書
【補正対象項目名】００４０
【補正方法】変更
【補正の内容】
【００４０】
なお、本発明の実施の形態に係る照明装置としては、第１の導光板と、前記第１の導光板の背後に配置された第２の導光板と、前記第１の導光板の端面に対向配置された第１の光源と、前記第２の導光板の端面に対向配置された第２の光源と、を有するものである。そして、第１の導光板は、第２の導光板とは反対側に出光面を有し、第２の導光板は、第１の導光板とは反対側に出光面を有する。これにより、第１の導光板と第２の導光板の表裏両側をそれぞれ照明できるように構成されている。特に、第１の導光板と第２の導光板との間には光学シート（光反射層、光散乱層、光拡散層など）が配置されることが好ましい。より具体的には、本発明の照明装置は、その厚さが所定方向に漸次減少するように構成された第１の導光板と、前記第１の導光板の背後に配置され、その厚さが前記所定方向と反対の方向に漸次減少するように構成された第２の導光板とを含むものである。